(57)【特許請求の範囲】
【請求項１】
主バーナと、最大火力が主バーナより小さい副バーナと、主バーナと副バーナへの供給ガス量を火力調節用の操作子の操作に連動して調節するガス量調節手段と、操作子が所定の切換位置を越えて最小火力位置側に操作されたときに、副バーナへのガス供給は継続したまま主バーナへのガス供給を停止して主バーナを消火する主バーナ消火手段とを備えるコンロ用バーナであって、
操作子が切換位置を越えて最大火力位置側に操作されたとき、主バーナへのガス供給を再開して、副バーナから主バーナに火移りさせるようにしたものにおいて、
ガス量調節手段を制御する制御手段を備え、制御手段は、操作子が切換位置を越えて最小火力位置側に操作されたとき、主バーナ消火手段で主バーナへのガス供給を停止してから所定の待ち時間が経過するまでは、操作子が切換位置よりも最小火力位置寄りの所定位置と切換位置との間の位置に操作されても、副バーナへの供給ガス量を前記所定位置に対応する所定量から増加しないように制限するガス量制限制御を行うことを特徴とするコンロ用バーナ。
【請求項２】
前記主バーナの温度が所定の設定温度以下であるときは、前記ガス量制限制御を禁止することを特徴とする請求項１記載のコンロ用バーナ。
【発明の詳細な説明】
【技術分野】
【０００１】
本発明は、主バーナと、最大火力が主バーナより小さい副バーナとを備えるコンロ用バーナに関する。
【背景技術】
【０００２】
従来、この種のコンロ用バーナとして、主バーナと副バーナへの供給ガス量を火力調節用の操作子の操作に連動して調節するガス量調節手段と、操作子が所定の切換位置を越えて最小火力位置側に操作されたときに、副バーナへのガス供給は継続したまま主バーナへのガス供給を停止して主バーナを消火する主バーナ消火手段とを備え、操作子が切換位置を越えて最大火力位置側に操作されたとき、主バーナへのガス供給を再開して、副バーナから主バーナに火移りさせるようにしたものが知られている（例えば、特許文献１参照）。
【０００３】
ここで、主バーナ消火手段により主バーナへのガス供給を停止しても、主バーナに残留するガスがパージされるまではある程度時間がかかり、主バーナの残留ガスに副バーナから火移りすることがある。このように主バーナの残留ガスに火移りすると、所謂パチン逆火を生ずる。パチン逆火は、残留ガスによる炎が主バーナの炎孔内に入り込み、「パチン」といった消火音が発生して消える現象であり、使用者に違和感を与えてしまう。
【先行技術文献】
【特許文献】
【０００４】
【特許文献１】特開２００９−２５２９号公報
【発明の概要】
【発明が解決しようとする課題】
【０００５】
本発明は、以上の点に鑑み、パチン逆火を抑制できるようにしたコンロ用バーナを提供することをその課題としている。
【課題を解決するための手段】
【０００６】
上記課題を解決するために、本発明は、主バーナと、最大火力が主バーナより小さい副バーナと、主バーナと副バーナへの供給ガス量を火力調節用の操作子の操作に連動して調節するガス量調節手段と、操作子が所定の切換位置を越えて最小火力位置側に操作されたときに、副バーナへのガス供給は継続したまま主バーナへのガス供給を停止して主バーナを消火する主バーナ消火手段とを備えるコンロ用バーナであって、操作子が切換位置を越えて最大火力位置側に操作されたとき、主バーナへのガス供給を再開して、副バーナから主バーナに火移りさせるようにしたものにおいて、ガス量調節手段を制御する制御手段を備え、制御手段は、操作子が切換位置を越えて最小火力位置側に操作されたとき、主バーナ消火手段で主バーナへのガス供給を停止してから所定の待ち時間が経過するまでは、操作子が切換位置よりも最小火力位置寄りの所定位置と切換位置との間の位置に操作されても、副バーナへの供給ガス量を前記所定位置に対応する所定量から増加しないように制限するガス量制限制御を行うことを特徴とする。
【０００７】
本発明によれば、操作子が切換位置を越えて最小火力位置側に操作されると、待ち時間が経過するまでは、操作子が所定位置と切換位置との間の位置に操作されても、副バーナへの供給ガス量は前記所定量から増加しない。そのため、副バーナの炎は小さなままになり、主バーナの残留ガスへの副バーナからの火移りが抑制される。そして、待ち時間中に主バーナの残留ガスがパージされるため、待ち時間経過後にガス量制限制御が解除されて副バーナの炎が大きくなっても、残留ガスに火移りすることはない。従って、主バーナの残留ガスへの火移りによるパチン逆火を抑制できる。
【０００８】
尚、主バーナの温度が低いと、主バーナの残留ガスへの副バーナからの火移りによるパチン逆火は発生し難くなる。そのため、主バーナの温度が所定の設定温度以下であるときは、ガス量制限制御を禁止することが望ましい。これによれば、パチン逆火が発生し難い状態で不必要にガス量制限制御が行われることを回避でき、有利である。
【図面の簡単な説明】
【０００９】
【図１】本発明の実施形態のコンロ用バーナを示す斜視図。
【図２】図１のＩＩ−ＩＩ線で切断した断面図。
【図３】コントローラが行う流量調節弁の制御内容を示すフロー図。
【発明を実施するための形態】
【００１０】
図１、図２に示す本発明の実施形態のコンロ用バーナは、主バーナ１と、主バーナ１の下側に隣接する副バーナ２とを備えている。具体的に説明すれば、コンロ用バーナは、外側の筒体３１と、中間の筒体３２と、内側の筒体３３との内外３重の筒体を有するバーナボディ３と、中間筒体３２に嵌合する内周の環状垂下壁４１と、外周部上面の上環状壁４２と、外側筒体３１の上端部に着座する外周部下面の下環状壁４３とを有するバーナヘッド４と、内側筒体３３に嵌合する内周の環状垂下壁５１を有し、外周部下面で上環状壁４２の上端に着座するバーナキャップ５とを備えている。そして、中間筒体３２、内側筒体３３、バーナヘッド４及びバーナキャップ５で主バーナ１を構成し、外側筒体３１、中間筒体３２及びバーナヘッド４で副バーナ２を構成している。
【００１１】
また、主バーナ１の内部空間となる中間筒体３２と内側筒体３３との間の空間に連通する混合管（主バーナ混合管）１１を設けると共に、副バーナ２の内部空間となる外側筒体３１と中間筒体３２との間の空間に連通する混合管（副バーナ混合管）２１を設けている。また、バーナヘッド４の上環状壁４２に、主バーナ混合管１１からの混合気（燃料ガスと一次空気との混合ガス）が噴出する主バーナ１用の炎孔（主バーナ炎孔）１２を周方向の間隔を存して複数形成し、更に、バーナヘッド４の下環状壁４３に、副バーナ混合管２１からの混合気が噴出する副バーナ２用の炎孔（副バーナ炎孔）２２を周方向の間隔を存して複数形成している。
【００１２】
尚、副バーナ炎孔２２の合計開口面積は主バーナ炎孔１２の合計開口面積より小さく、最大火力は副バーナ２の方が主バーナ１より小さい。また、バーナヘッド４の外周面の周囲１箇所には、図示省略した点火電極に対向するターゲット部４４が突設されている。
【００１３】
コンロ用バーナに燃料ガスを供給するガス供給路６には、コンロ前面の図示省略した点消火用操作子の点火操作と消火操作で開閉される元弁６１と、ガス量調節手段たる電動式の流量調節弁６２とが介設されている。更に、流量調節弁６２の下流側でガス供給路６を主バーナ１用の供給路６ａと副バーナ２用の供給路６ｂとに分岐して、主バーナ１用の供給路６ａに、主バーナ消火手段たる電磁弁６３を介設している。
【００１４】
流量調節弁６２と電磁弁６３は、コンロ前面に設けた火力調節用の操作子たる調節摘み７の操作により制御手段たるコントローラ８を介して制御される。図１を参照して、調節摘み７は、最小火力位置たる「１」位置と最大火力位置たる「１０」位置との間で回転操作自在であり、調節摘み７の回転角度θを示す信号がコントローラ８に入力される。そして、コントローラ７は、ガス供給路６に流れるガス量が調節摘み７の回転角度θに応じて変化するように、即ち、θが大きくなるのに伴いガス量が増加するように流量調節弁６２を制御する。コントローラ７は、更に、調節摘み７が切換位置たる「４」位置を越えて「１」位置側に回転操作されたとき、電磁弁６３を閉弁させ、調節摘み７が「４」位置を越えて「１０」位置側に回転操作されたとき、電磁弁６３を開弁させる制御を行う。電磁弁６３を閉弁させると、副バーナ２へのガス供給は継続したまま主バーナ１へのガス供給が停止されて主バーナ１が消火され、また、電磁弁６３を開弁させると、主バーナ１へのガス供給が再開されて、副バーナ２から主バーナ１に火移りする。
【００１５】
ところで、電磁弁６３の閉弁により主バーナ１へのガス供給を停止しても、主バーナ１に残留するガスがパージされるまではある程度時間がかかる。そして、主バーナ１の残留ガスに副バーナ２から火移りしてパチン逆火を生ずることがある。そこで、本実施形態では、パチン逆火を防止するため、コントローラ８により流量調節弁６２を図３に示す如く制御している。以下、この制御について詳述する。尚、図３において、θ１、θ２、θ４は、夫々、調節摘み７の「１」位置、「２」位置、「４」位置における回転角度である。
【００１６】
流量調節弁６３の制御に際しては、先ず、ＳＴＥＰ１で調節摘み７が「４」位置を越えて「１」位置側に操作されか否か、即ち、調節摘み７の回転角度θがθ１からθ４までの範囲に入ったか否かを判別し、θ１≦θ≦θ４であれば、ＳＴＥＰ２に進んで、θ１≦θ≦θ４となった時点から所定の待ち時間（例えば、２秒）が経過したか否かを判別する。尚、θ１≦θ≦θ４となったときに、電磁弁６３が閉弁されて主バーナ１へのガス供給が停止されるから、ＳＴＥＰ２では、主バーナ１へのガス供給を停止してから待ち時間が経過したか否かが判別されることになる。
【００１７】
待ち時間経過前であれば、ＳＴＥＰ３に進んで、調節摘み７が「１」位置から「２」位置までの範囲に存するか否か、即ち、θ１≦θ≦θ２であるか否かを判別する。そして、θ１≦θ≦θ２であれば、ＳＴＥＰ３に進んで流量制御弁６２の通常制御を行い、副バーナ２への供給ガス量を調節摘み７の位置に応じて「１」位置に対応する量と「２」位置に対応する量との間で可変する。一方、ＳＴＥＰ３での判別結果が「ＮＯ」の場合、即ち、θ２＜θ≦θ４である場合は、ＳＴＥＰ５に進み、副バーナ２への供給ガス量を「２」位置に対応する量に維持する。
【００１８】
主バーナ１へのガス供給を停止してから待ち時間が経過したときや、調節摘み７が「４」より大きな位置に操作されたときは、ＳＴＥＰ６に進んで流量調節弁６２の通常制御を行い、ガス供給路６に流れるガス量を調節摘み７の位置に応じて可変する。
【００１９】
本実施形態によれば、主バーナ１へのガス供給を停止してから待ち時間が経過するまでは、調節摘み７が「２」位置と「４」位置との間の位置に操作されても、副バーナ２への供給ガス量を「２」位置に対応する量から増加しないように制限するガス量制限制御が行われることになる。そのため、副バーナ２の炎は小さなままになり、主バーナ１の残留ガスへの副バーナ２からの火移りが抑制される。そして、待ち時間中に主バーナ１の残留ガスがパージされるため、待ち時間経過後にガス量制限制御が解除されて副バーナ２の炎が大きくなっても、残留ガスに火移りすることはない。従って、主バーナ１の残留ガスへの火移りによるパチン逆火を抑制できる。
【００２０】
尚、ガス量制限制御で制限するガス量は、「２」位置に対応する量に限定されるものではなく、例えば、「１」位置に対応する最小ガス量であってもよい。この場合は、主バーナ１へのガス供給を停止してから待ち時間が経過するまで、調節摘み７が「４」以下の何れの位置に操作されても、副バーナ２への供給ガス量が「１」位置に対応する量に維持されるようにする。
【００２１】
ところで、主バーナ１の温度が低いと、主バーナ１の残留ガスへの副バーナ２からの火移りによるパチン逆火は発生し難くなる。従って、主バーナ１の温度が所定の設定温度以下であるときは、ガス量制限制御を禁止してもよい。これによれば、パチン逆火が発生し難い状態で不必要にガス量制限制御が行われて、副バーナ２の火力を調節摘み７の操作通りに調節できなくなることを回避でき、有利である。
【００２２】
尚、主バーナ１の温度が設定温度以下であるか否かは、主バーナ１を構成するバーナキャップ５の温度を熱電対等のセンサで検出して判断することができる。また、主バーナ１を消火する前の主バーナ１の燃焼時間に応じて主バーナ１の温度が変化するため、主バーナ１の燃焼時間が所定時間以下であるときに、主バーナ１の温度が設定温度以下であると判断してもよい。
【００２３】
以上、本発明の実施形態について図面を参照して説明したが、本発明はこれに限定されない。例えば、上記実施形態では、調節摘み７の「４」位置という単一の位置を切換位置に設定しているが、切換位置として第１切換位置とそれより大きな火力側に若干変位した第２切換位置とを設定し、調節摘み７を第１切換位置を越えて最小火力位置側に操作したとき電磁弁６３を閉弁させ、調節摘み７を第２切換位置を越えて最大火力位置側に操作したとき電磁弁６３を開弁させるようにしてもよい。更に、上記実施形態では、火力調節用の操作子を調節摘み７で構成しているが、レバー等の調節摘み以外のもので火力調節用の操作子を構成することも可能である。
【００２４】
また、上記実施形態では、主バーナ１用供給路６ａと副バーナ２用供給路６ｂとの分岐部上流のガス供給路６にガス量調節手段たる流量調節弁６２を介設しているが、主バーナ１用供給路６ａと副バーナ２用供給路６ｂとに夫々流量調節弁を介設することも可能である。この場合、主バーナ１用供給路６ａに介設する流量調節弁を全閉可能なものにし、この流量調節弁を主バーナ消火手段に兼用してもよい。
【００２５】
また、上記実施形態では、主バーナ１と副バーナ２とを上下に隣接配置しているが、副バーナを径方向中央部に配置し、この副バーナを囲うように環状の主バーナを配置することも可能である。この場合、主バーナに径方向内方の副バーナ側を向く主バーナ炎孔を形成して、副バーナから主バーナに火移りするようにすればよい。尚、上記実施形態のように主バーナ１の下側に副バーナ２を備えるものでは、副バーナ２の炎が上向きに形成されて、主バーナ１の残留ガスへの副バーナ２からの火移りが起こりやすいため、上記ガス量制限制御を行うことはより有益である。
【符号の説明】
【００２６】
１…主バーナ、２…副バーナ、６…ガス供給路、６２…流量調節弁（ガス量調節手段）、６３…電磁弁（主バーナ消火手段）、７…調節摘み（火力調節用操作子）、８…コントローラ（制御手段）。
【図１】
0005701821.tif 000002
【図２】
0005701821.tif 000003
【図３】
0005701821.tif 000004